(57)【特許請求の範囲】
【請求項１】
同期ＯＦＤＭ通信システムにおける干渉基地局の群により生成され、Ｎｒｘ個のアンテナの群を備えるユーザ装置（１００）において受信された干渉を、相殺するためのプロセスであって、
前記ユーザ装置（１００）の各アンテナについて、受信信号のＯＦＤＭ復調を行うステップ（１１０）と、
前記ユーザ装置（１００）の各アンテナについて、存在する基地局によって生成されたパイロット信号を監視するステップ（１２０）と、
前記パイロット信号を抽出し、既存の基地局アンテナのリストを生成するステップ（１３０）と、
干渉アンテナのチャネル電力を、測定するステップ（１４０）と、
Ｎｒｘ−Ｎ個の最も強いチャネルを、選択するステップ（１５０）と、
復調ブロックにより復調された、Ｎｒｘ−Ｎ個の干渉データシンボル（ＩＤＳ：Interfering Data Symbol）とともに、Ｎ個の有用データシンボル（ＵＤＳ：Useful Data Symbol）のジョイント検出を行うステップ（１６０）と、
を備えることを特徴とするプロセス。
【請求項２】
前記干渉データシンボルのストリームを、デコーダによって復号するステップ（１７０）と、
前記復号された有用データシンボルを、ジョイントデコーダの上流で、相殺ループに再投入し、前記Ｎｒｘ−Ｎ個の最も強いチャネルの干渉を相殺するステップ（１８０）と、  をさらに備えることを特徴とする請求項１に記載のプロセス。
【請求項３】
前記ジョイントデコーダは、球面デコーダである、ことを特徴とする請求項２に記載のプロセス。
【請求項４】
前記ジョイントデコーダは、線形等化器である、ことを特徴とする請求項３に記載のプロセス。
【請求項５】
前記ジョイントデコーダは、最尤デコーダである、ことを特徴とする請求項２に記載のプロセス。
【請求項６】
同期ＯＦＤＭセルラーシステム用のレシーバであって、
Ｎｒｘ個のアンテナの群と関連付けられ、４個のデータストリームの時間および周波数同期、サイクリックプレフィックス破棄ならびにＩＦＦＴ変換を行う、Ｎｒｘ個のＯＦＤＭ復調器（３１１，３２１，３３１，３４１）の群と、
前記同期ＯＦＤＭセルラーシステムに属する基地局から、前記アンテナを通して受信された多重信号と関連付けられたチャネルを、推定するための手段（３１５，３２５，３３５，３４５）と、
Ｎｒｘ個の復調されたＯＦＤＭシンボルを復号するための、ジョイントデコーダ（３５０）と、
を含み、
全ての干渉基地局および基地局アンテナに対応するチャネル電力を、測定するための手段と、
前記ジョイントデコーダを制御し、Ｎ個の有用データストリームと、Ｎ−Ｎｒｘ個の最も強い干渉データストリームとの、ジョイント検出を行うための手段と、
をさらに備えることを特徴とするレシーバ。
【請求項７】
検出された干渉データシンボル（ＩＤＳ）を再符号化し、干渉相殺ループに投入するための手段をさらに含む、ことを特徴とする請求項６に記載のレシーバ。
【請求項８】
前記ジョイントデコーダは、球面デコーダである、ことを特徴とする請求項６または請求項７に記載のレシーバ。
【請求項９】
前記ジョイントデコーダは、線形等化器である、ことを特徴とする請求項６または請求項７に記載のレシーバ。
【請求項１０】
前記ジョイントデコーダは、最尤デコーダである、ことを特徴とする請求項６または請求項７に記載のレシーバ。
【請求項１１】
ＯＦＤＭセルラーシステム用のユーザ装置であって、請求項６乃至請求項１０のいずれかに定義されるレシーバを備える、ことを特徴とするユーザ装置。
【請求項１２】
ＬＴＥ規格に準拠することを特徴とする請求項１１に記載のユーザ装置。
【発明の詳細な説明】
【技術分野】
【０００１】
本発明は、デジタル無線通信、特に、同期ＯＦＤＭ通信システムにおける干渉基地局により生成された干渉を相殺するためのプロセスおよびそのレシーバに関する。
【背景技術】
【０００２】
デジタル無線通信は、特に、直交周波数分割多重（ＯＦＤＭシステム）の最新の開発および最新の発展、いわゆるロングタームエボリューション（ＬＴＥ）システムとともに、世界中で広く使われている。
【０００３】
これらの新たなシステムの登場およびＯＦＤＭの開発により、通信するセルおよびユーザの数は、１つの所与のエリアにおいて、おびただしく増加する。
【０００４】
これは、ＵＥとセルとの間での通信の干渉のレベルを、大きく増加させるものであり、絶え間なく増加する基地局の数に起因する干渉を相殺するための、改善された技術が必要とされる。
【発明の概要】
【発明が解決しようとする課題】
【０００５】
本発明の目的は、ＭＩＭＯアンテナが備えられたＵＥにおいて、干渉を相殺するためのプロセスを実行することである。
【０００６】
本発明の他の目的は、ＭＩＭＯレシーバの使用に基づく同期ＯＦＤＭセルラーシステムのための、干渉相殺のプロセスを提供することである。
【０００７】
本発明のさらに他の目的は、どのような同期ＯＦＤＭシステムにも適しており、特に、ロングタームエボリューション（ＬＴＥ）規格に適合されている、有効な干渉相殺プロセスを提供することである。
【０００８】
本発明のさらなる目的は、効率的なＯＦＤＭ受信および存在する干渉基地局またはアンテナの干渉相殺を達成する、同期ＯＦＤＭセルラーシステム向けのレシーバを実行することである。
【課題を解決するための手段】
【０００９】
これらおよび他の目的は、干渉基地局の群により生成された干渉を、相殺するためのプロセスによって達成され、プロセスは、
ユーザ装置（User Equipment）内の各アンテナについて、受信信号のＯＦＤＭ復調を行うステップと、
ＵＥ内の各アンテナについて、存在する基地局によって生成されたパイロット信号（例えば、ＬＴＥまたはより一般的な放送パイロットチャネルにおける基準信号）を監視するステップと、
検出されたパイロット信号を抽出し、既存の基地局アンテナのリストを生成するステップと、
干渉アンテナのチャネル電力を、測定するステップと、
Ｎｒｘ−Ｎ個の最も強いチャネルを、選択するステップと、
復調ブロックにより復調された（Ｎｒｘ−Ｎ）個の干渉データシンボル（ＩＤＳ）とともに、Ｎ個の有用データシンボル（ＵＤＳ）のジョイント検出を行うステップと、を備える。
【００１０】
有用データシンボル（ＵＤＳ）と干渉データシンボル（ＩＤＳ）との両方のジョイント検出は、レシーバの効率を著しく増加させ、よって、ＵＥに存在するＭＩＭＯ構造を、干渉相殺のために有利に使用できることが認められている。
【００１１】
一実施形態において、ジョイントデコーダによって生成された、検出された最も強い干渉データシンボルは、再符号化され干渉相殺ループに導入される前に、復号される。
【００１２】
一実施形態において、ジョイントデコーダは、球面デコーダである。
【００１３】
あるいは、ジョイントデコーダは、線形等化器または最尤デコーダである。
【００１４】
本発明は、また、同期ＯＦＤＭセルラーシステム用のレシーバを提供し、レシーバは、
Ｎｒｘ個のアンテナの群と関連付けられ、４個のデータストリームの時刻および周波数同期、サイクリックプレフィックス廃棄ならびにＩＦＦＴ変換を行う、Ｎｒｘ個のＯＦＤＭ復調器の群と、
前記ＯＦＤＭセルラーシステムに属する基地局から、前記アンテナを通して受信された多重信号と関連付けられたチャネルを、推定するための手段と、
Ｎｒｘ個の復調されたＯＦＤＭシンボルを復号するための、ジョイントデコーダと、を含み、
全ての干渉基地局および基地局アンテナに対応するチャネル電力を、測定するための手段と、
前記ジョイントデコーダを制御し、Ｎ個の有用データストリームと、Ｎ−Ｎｒｘ個の最も強い干渉データストリームとの、ジョイント検出を行うための手段と、をさらに備えることを特徴とする。
【００１５】
一実施形態において、レシーバは、検出された干渉データストリームのＯＦＤＭシンボルを再生成し、干渉相殺を行うための再符号化手段をさらに含む。
【００１６】
本発明は、今後のＬＴＥ規格に準拠する受信を備えたＵＥを達成するために、特に有用である。
【図面の簡単な説明】
【００１７】
本発明の１つまたは複数の実施形態の他の特徴は、以下の詳細な説明を参照することで、添付の図面とともに読まれた場合に、最良に理解されるであろう。
【図１Ａ】図１Ａは、３つの基地局と１つのＵＥとを備える、１つのＯＦＤＭ−ＭＩＭＯ通信システムを示している。
【図１Ｂ】図１Ｂは、ＯＦＤＭ変調の概略的な原理を示している。
【図２】図２は、ＯＦＤＭ変調および復調プロセスの原理を、ガードバンドまたはサイクリックプリフィックスの処理とともに示している。
【図３】図３は、本発明のプロセスの一実施形態を示している。
【図４】図４は、２×２ジョイントデコーダに基づくＯＦＤＭ−ＭＩＭＯ受信システムの一実施形態を示している。
【図５】図５は、復号された干渉データシンボルの再符号化とともに、４×４ジョイントデコーダに基づくＯＦＤＭ−ＭＩＭＯ受信システムの他の実施形態を示している。
【図６】図６は、有用データシンボル（ＵＤＳ）および干渉データシンボル（ＩＤＳ）の両方のジョイント復号から生じる性能の著しい増加を示すフローチャートである。
【発明を実施するための形態】
【００１８】
ここでは、その少なくとも１つが、１つのユーザ装置（ＵＥ）と通信を行っている、基地局またはセルの群を備える、同期ＯＦＤＭ通信システムにおいて、確立された多重通信によって生成される干渉の相殺を、どのようにして著しく改善できるかを説明する。
【００１９】
本発明は、特に、デジタル無線通信の発展の次の段階である、ロングタームエボリューション（ＬＴＥ）規格と関連して説明するが、これは本発明の単に１つの特定の実施形態および応用であり、本発明は、同期セルまたは基地局によるＯＦＤＭ変調に基づくどのようなセルラーシステムにおいても、使用可能であることが明らかとなるであろう。実際に、ＯＦＤＭ変調は、多くの既存の規格（DAB、DVB-T、WiMAX、IEEE802.16、ADSL、WLAN IEEE802.11a/g等）において、広く普及しており、多くの今後開発される規格に用いられることが予期されている。当業者に知られるように、ＯＦＤＭは、広帯域の周波数選択性チャネルを、多数の並列の狭帯域単一チャネルに変換する。これは、図１Ｂに示されるように、個別シンボル間にガードインターバル（いわゆるCyclic Prefix CP）を挿入することにより、達成される。このようなガードインターバルは、ジッタ、すなわちチャネルを通して送信されたＯＦＤＭシンボルが被る遅延の変動を、補償するために、時間的に十分に長いと想定される。これにより、シンボル間干渉（ＩＳＩ）の出現を防止することができる。
【００２０】
加えて、ＯＦＤＭ技術は、送信側および受信側での多重アンテナの使用と、有利に組み合わせて、時間変化および周波数選択性チャネルにおいて、ダイバーシティ利得および／または送信能力を増加させることができる。
【００２１】
さらなる情報は、シャン（Xiang）、ウォーターズ（Waters）、ブラット（Bratt）、バリー（Barry）、ワルケンホースト（Walkenhorst）による参考文献“３トランスミッタ３レシーバＯＦＤＭ／ＢＬＡＳＴテストベッドの実施および実験結果（Implementation and Experiment Results of a Three-Transmitter Three-Receiver OFDM/BLAST Testbed）”、IEEE Communication Magazine 2004、に見出すことができる。
【００２２】
ＯＦＤＭ通信システムは、また、同期していると仮定されるため、基地局とやり取りされるＯＦＤＭシンボルも、同期している。
【００２３】
よって、以下に述べられる本発明は、広範囲の利用分野での使用が見込まれ、ＬＴＥの使用のみに限定されるべきでないことに、注意すべきである。
【００２４】
図１Ａに関連して、これより、ＭＩＭＯ機能が備えられた３つの基地局、それぞれ１０、２０および３０、を備える同期ＯＦＤＭシステムが例示される。基地局１０は、２つの送受信アンテナ１１−１２を有すると仮定され、基地局２０（または３０）は、対応する２つのアンテナ２１−２２（または３１，３２）の群を有する。
【００２５】
通信チャネルの他方側では、ＭＩＭＯ機能が備えられた、携帯電話、ラップトップコンピュータ、ハンドヘルドまたは任意の通信装置となり得る、１つのユーザ装置（ＵＥ）１００が、例えば４つの個別のアンテナを有しており、それぞれが、アンテナ１１−１２、２１−２２、および３１−３３から受信された６つの異なる信号の組み合わせで形成される複合信号を受信する。
【００２６】
基地局１０とＵＥ１００の間の、従来のＯＦＤＭ−ＭＩＭＯ通信において、単一のデータストリームが、いくつかの部分的データストリームに分割され、ユーザ装置１００のＭＩＭＯシステムを形成する異なるアンテナを通して送信される。
【００２７】
本発明は、ＵＥ１００が、ここでより多くのアンテナと、対応するＯＦＤＭレシーバとを内蔵し、基地局１０から受信された有用ＯＦＤＭシンボルの検出のみならず、干渉基地局２０および３０から受信された信号の干渉相殺も達成するということが、この既知の技術からかけ離れている。
【００２８】
したがって、ユーザ装置のＭＩＭＯシステムのリソースの一部、すなわち２つのアンテナが、有用データストリームの通信に作用し、一方で、ＭＩＭＯシステムのリソースの残り部分、すなわち残り２つのアンテナを、基地局の干渉相殺に用いることができる。
【００２９】
図２は、本発明のプロセスの一実施形態を、より詳細に示している。
【００３０】
ユーザ装置には、Ｎｒｘ個のアンテナが備えられていると仮定され、その中で、Ｎ個は、ユーザの有用データの通信と関連付けられている。その結果、Ｎ個のアンテナは、ＯＦＤＭ−ＭＩＭＯ変調専用であり、一方で、Ｎｒｘ−Ｎ個のアンテナは、既存の干渉アンテナの相殺に割り当てられる。
【００３１】
プロセスは、ステップ１１０で開始し、ユーザ装置１００の各アンテナについて、受信信号のＯＦＤＭ復調が行われる。
【００３２】
ステップ１２０において、プロセスは、ＵＥ１００の各アンテナについて、異なる基地局で生成されたパイロット信号の監視を始める。このようなパイロット信号は、考慮される規格およびＯＦＤＭ変調にしたがって、多様な形態をとり得る。通常、パイロット信号は、放送パイロットチャネルとして指定され、特にＬＴＥの場合では、基準信号の指定で知られている。
【００３３】
ステップ１３０において、プロセスは、パイロット信号を抽出し、既存の基地局アンテナのリストを生成する。
【００３４】
一旦、干渉アンテナの完全なリストが描かれると、プロセスは、ステップ１４０に進み、このステップは、干渉アンテナのチャネル電力を測定する。チャネル電力の測定は、当業者に良く知られた動作であり、さらなる展開はされないであろう。
【００３５】
次いで、ステップ１５０において、プロセスは、Ｎｒｘ−Ｎ個の最も強いチャネルを選択し、ここで、Ｎｒｘは、ＵＥ１００のアンテナの数に対応し、Ｎは、上述のような有用データストリーム向けのアンテナの数に対応する。
【００３６】
次いで、ステップ１６０において、各サブキャリアについて、プロセスは、復調ブロックにより復調された（Ｎｒｘ−Ｎ）個の干渉データシンボル（ＩＤＳ：Interfering Data Symbol）とともに、Ｎ個の有用データシンボル（ＵＤＳ：Useful Data Symbol）のジョイント検出を行う。
【００３７】
この目的のために、任意のジョイントデコーダを使用してもよいことに、注意すべきである。
【００３８】
一実施形態において、ジョイントデコーダは、いわゆる球面デコーダ（Sphere Decoder）であるが、明らかに、例えば簡素な線形等化器またはより複雑な最尤（ＭＬ：Maximum Likelihood）デコーダなどの、他の実施形態を考察してもよい。
【００３９】
本発明のキーポイントは、Ｎｒｘ個のストリームのジョイント復号が、一方で、任意の従来のやり方で処理し、上層のアプリケーション（無線通信、デジタルＴＶ等）に転送することができる、データストリームに対応するＮ個の有用データシンボル（ＵＤＳ）を供給することであり、他方で、より高いチャネル電力を示す基地局の存在に起因する、Ｎｒｘ−Ｎ個の干渉データシンボル（ＩＤＳ）を供給することである。
【００４０】
上述のプロセスは、よって、既存のＭＩＭＯ構造により、Ｎ個の有用データストリームと、干渉基地局によって生成された、Ｎｒｘ−Ｎ個の最も妨害する干渉データとの、集合的な復号を達成する。
【００４１】
本発明は、よって、デコーダが、有用データの検出のみに用いられる既知のＭＩＭＯ技術から、基本的にかけ離れている。提示されるプロセスによると、選択は、干渉信号の検出プロセスにおいて行われ、最も強い干渉データに検出プロセスを集中させる。
【００４２】
有用および干渉データシンボルのこのようなジョイント復号は、図５のフローチャートに示されるように、多くのｄＢ（１０ｄＢまで）に達し得る信号対雑音比（ＳＮＲ）の向上とともに、レシーバの全体的な性能を著しく増加させることが認められており、これは本発明の非常に有利な効果である。
【００４３】
図２のステップ１７０および１８０は、任意のステップであり、これらステップを用いて、プロセス全体の効率をなお改善することができる。
【００４４】
このために、ステップ１６０で検出されたＩＤＳは、次いで、例えばターボデコーダなどの任意の従来のデコーダによって、ステップ１７０で復号される。
【００４５】
次いで、ステップ１８０では、復号された干渉データシンボル（ＩＤＳ）が、干渉相殺を達成するために、相殺ループに再投入される。
【００４６】
有用データシンボル（ＵＤＳ）を、干渉データシンボル（ＩＤＳ）とともにジョイント復号するプロセスは、２×２ジョイントデコーダの場合、例えば図３に示される場合にも、適用可能であることに注意すべきである。
【００４７】
図３は、４つのＯＦＤＭ復調ブロック、それぞれ２１０、２２０、２３０および２４０、を備える１つのレシーバを示しており、これらブロックを用いて、時間および周波数同期の基本機能、サイクリックプレフィックス抑制およびＩＦＦＴ変換が行われる。ブロック２１０は、リード線２１１を介して、ＵＥ１００の第１のアンテナから受信された信号を受信し、一方で、ブロック２２０は、リード線２２１を介して、ＵＥ１００の第２のアンテナから受信された信号を受信する。ＵＥ１００の第３のアンテナ（または第４）から受信された信号は、リード線２３１（または２４１）を介して、ＯＦＤＭブロック２３０（または２４０）に転送される。
【００４８】
２×２ジョイントデコーダ２００は、２個のデータシンボルの復号を提供し、２つの入力と出力とを備える。ジョイントデコーダ２００の第１の入力は、ＯＦＤＭ復調器２１０（有用データシンボルを受信すると仮定される）によって転送されたデータシンボルを受信し、一方で、第２の入力は、３つの入力を有するセレクタブロック２５０の出力を受信する。
【００４９】
セレクタブロック２５０は、加算器／減算器２２２の出力を受信する第１の入力を有し、この加算器／減算器の正の入力は、復調ブロック２２０の出力を受信し、負の入力は、リエンコーダブロック２８０の第１の出力を受信する。
【００５０】
同様に、セレクタブロック２５０は、加算器／減算器２３２（または２４２）の出力を受信する第２の入力（または第３の入力）を有し、この加算器／減算器の正の入力は、復調ブロック２３０（または２４０）の出力を受信し、負の入力は、リエンコーダブロック２８０の第２の（または第３の）出力を受信する。
【００５１】
ジョイントデコーダ２００は、データおよび干渉シンボルを生成する２つの出力を有し、データおよび干渉シンボルは、２つのターボデコーダ、それぞれ２６０および２７０、に転送される。
【００５２】
２×２ジョイントデコーダは、２つのシンボルＸ１およびＩ１の復号を達成することに注意すべきであり、Ｘ１は、有用データシンボル（ＵＤＳ）であり、Ｉ１は、より高いチャネル電力を示す３つのＯＦＤＭ復調ブロック２２０−２３０−２４０によって供給される、３つの干渉信号のうちの特定の１つに対応する、干渉データシンボル（ＩＤＳ）である。
【００５３】
より高いチャネル電力、すなわちシンボルＸ１を復号することにより、後者は、リエンコーダ２８０に再投入して、ＯＦＤＭシンボルを計算することができ、ＯＦＤＭシンボルは、次いで、相殺ループを形成する加算器／減算器２２２−２３２−２４２に対して減算される。
【００５４】
図４を参照して、ここでは、有用データシンボル（ＵＤＳ）の２つのストリームを、２つの高電力干渉データシンボル（ＩＤＳ）とともにジョイント復号する可能性を与える、４×４ジョイントデコーダの使用に基づく、本発明の他の実施形態を説明する。この実施形態は、基地局１０のためにやり取りされた、２個のデータストリームの受信、および例えばより強い干渉基地局２０の干渉の相殺に、特に適している。
【００５５】
レシーバは、それぞれが対応するアンテナ３１０、３２０、３３０および３４０から信号を受信する、４つの特徴的なＯＦＤＭ復調ブロック３１１、３１２、３１３および３１４の使用に基づく。上述のように、各ＯＦＤＭブロックは、タイミングおよび周波数同期、サイクリックプレフィックス廃棄、およびＩＦＦＴ変換を達成する。
【００５６】
レシーバは、４つの入力および４つの出力により、４つの個別のＯＦＤＭストリームのジョイント復号を提供するための、４×４ジョイントデコーダ３５０、例えば球面デコーダ、をさらに含む。繰り返しになるが、線形等化器、シリアル干渉相殺器またはＭＬデコーダなどの、任意のジョイントデコーダを、使用することができる。
【００５７】
ＯＦＤＭブロック３１１は、２つの負の入力と、４×４ジョイントデコーダ３５０の第１の入力に転送される出力と、を有する加算器／減算器３１２の正の入力に結合された出力を有する。
【００５８】
ＯＦＤＭブロック３２１は、２つの負の入力と、４×４ジョイントデコーダ３５０の第２の入力に転送される出力と、を有する加算器／減算器３２２の正の入力に結合された出力を有する。
【００５９】
同様に、ＯＦＤＭブロック３３１は、２つの負の入力と、４×４ジョイントデコーダ３５０の第３の入力に転送される出力と、を有する加算器／減算器３３２の正の入力に結合された出力を有する。
【００６０】
最後に、ＯＦＤＭブロック３４１は、２つの負の入力と、４×４ジョイントデコーダ３５０の第４の入力に転送される出力と、を有する加算器／減算器３４２の正の入力に結合された出力を有する。
【００６１】
ジョイントデコーダ３５０は、４つの対応するターボデコーダ、それぞれ３１３−３２３−３３３−３４３、にそれぞれ転送される、４つの復号されたデータストリームを生成する、４つの出力を有する。
【００６２】
ターボデコーダ３１３および３２３は、ＵＤＳシンボルによって搬送される２つの有用データストリームの復号に割り当てられており、一方で、ターボデコーダ３３３および３４３は、２つの干渉データシンボル（ＩＤＳ）の復号専用である。
【００６３】
効率的な干渉相殺を達成するために、ターボデコーダ３３３および３４３によって生成された２つのＩＤＳが、２つのリエンコーダ、それぞれ３４４および３３４、にそれぞれ転送され、干渉信号に対応するＯＦＤＭシンボルを再生成するために用いられる。
【００６４】
リエンコーダ３４４は、加算器／減算器３１２−３４２の第１の負の入力にそれぞれ転送される、４つの出力を有し、一方で、リエンコーダ３３４は、加算器／減算器３１２−３４２の第２の負の入力にそれぞれ転送される、４つの出力を有する。
【００６５】
レシーバは、４つのアンテナを通して信号を受信する、４つのチャネル推定ブロック、それぞれ３１５、３２５、３３５および３４５、をさらに含み、これらブロックは、上述したプロセスを行うために用いられる、主制御信号を供給する制御部３６０に結合されている。
【００６６】
制御部３６０は、４×４ジョイントデコーダ３５０（制御ライン３５１を介する）、ターボデコーダ３１３−３４３（制御ライン３６１を介する）、ならびにリエンコーダ３３４（ライン３０６を介する）およびリエンコーダ３４４（ライン３６２を介する）の制御を達成する。
【００６７】
制御部３６０は、特に、図２のステップ１５０の選択プロセスを達成し、４×４ジョイントデコーダ４６０を制御して、２つの有用データストリームを検出し、２つの最も強い干渉データストリームは、チャネル推定ブロック３１５−３４５によって検出される。
【００６８】
リエンコーダ３３４および３４４による、２つの干渉データシンボル（ＩＤＳ）の再符号化により、対応する寄与を、受信信号から抑制し、球面デコーダによって、またはより一般的には４×４ジョイントデコーダによって、再び検出される前に相殺して、検出プロセスを向上させることができる。
【００６９】
本発明は、ＵＥ１００のＭＩＭＯ構造を用いて、存在する他の基地局またはアンテナからの干渉を相殺するために、非常に有用であることが分かる。
【図１Ａ】
0005432288.tif 000002
【図１Ｂ】
0005432288.tif 000003
【図２】
0005432288.tif 000004
【図３】
0005432288.tif 000005
【図４】
0005432288.tif 000006
【図５】
0005432288.tif 000007